(57)【要約】  課題：  スピーカから出力される放射音の設置環境の違いによる反射のばらつきを抑えると共に、使用者が機器を手で持って操作する際のスピーカの音量の不安定さをなくすことが可能な通話機器を提供する。  解決手段：  通話機器本体と、前記通話機器本体の筐体背面側に固定され、他の部品に取り付けるための取付穴を有する掛け金具とから構成された通話機器において、前記通話機器本体は、前記筐体内で背面側に向けて実装されるスピーカを備え、前記筐体背面側に、前記スピーカからの放射音を通過させるための第１のスリット穴を有し、前記掛け金具は、前記第１のスリット穴との間に所定の間隔をあけて対面するよう配置され、前記筐体背面側に取り付けられることを特徴とする。
2016042934.tif 000002
【特許請求の範囲】
【請求項１】
通話機器本体と、前記通話機器本体の筐体背面側に固定され、他の部品に取り付けるための取付穴を有する掛け金具とから構成された通話機器において、
前記通話機器本体は、前記筐体内で背面側に向けて実装されるスピーカを備え、前記筐体背面側に、前記スピーカからの放射音を通過させるための第１のスリット穴を有し、
前記掛け金具は、前記第１のスリット穴との間に所定の間隔をあけて対面するよう配置され、前記筐体背面側に取り付けられることを特徴とする通話機器。
【請求項２】
請求項１に記載の通話機器において、前記掛け金具は、前記筐体の前記第１のスリット穴の内の下側スリット穴と相対する水平方向の位置に第２のスリット穴を有することを特徴とする通話機器。
【請求項３】
請求項１に記載の通話機器において、前記通話機器本体の前記筐体には、前記スピーカの背面側で発生した共鳴音を機器の前方に伝搬するための音響管が形成されていることを特徴とする通話機器。
【請求項４】
請求項２に記載の通話機器において、前記通話機器本体の前記筐体には、前記スピーカの背面側で発生した共鳴音を機器の前方に伝搬するための音響管が形成されていることを特徴とする通話機器。
【請求項５】
通話機器本体と、前記通話機器本体の筐体背面側に固定され、他の部品に取り付けるための取付穴を有する掛け金具とから構成される通話機器において、
前記通話機器本体は、前記筐体内で背面側に向けて実装されるスピーカを備え、前記筐体背面側に、前記スピーカからの放射音を通過させるための第３のスリット穴と、第４のスリット穴とを有し、
前記掛け金具は、前記第３のスリット穴との間に所定の間隔をあけて対面するよう配置されると共に、前記第４のスリット穴と相対する水平方向の位置に第５のスリット穴を有することを特徴とする通話機器。
【請求項６】
請求項５に記載の通話機器において、前記通話機器本体の前記筐体には、前記スピーカの背面側で発生した共鳴音を機器の前方に伝搬するための音響管が形成されていることを特徴とする通話機器。
【発明の詳細な説明】
【技術分野】
【０００１】
本発明は、筐体の背面側にスピーカを搭載した通話機器の構造に関する。
【背景技術】
【０００２】
特許文献１には、ハンズフリー用スピーカを内蔵した携帯端末に於いて、音量を上げるために、ハンズフリースピーカ前面に配置された可動部材を可動させることにより、ハンズフリースピーカ前面の容積を増すことで、振動板前面の空気が振動する容積を増すことにより、ハンズフリー使用時の音量を上げることで、電気的に信号を擬似的に矩形波に変換した場合のホワイトノイズによる音の濁りや、信号をスピーカ駆動用の電源電圧以上に振幅を増幅し、音を歪ませることによる会話の弊害を改善するハンズフリースピーカ付き携帯端末が開示されている。
なお、特許文献１の携帯端末は、筐体の背面側にハンズフリースピーカを内蔵する構成となっている。
【先行技術文献】
【特許文献】
【０００３】
【特許文献１】特開２００２−１１１８２６号公報
【発明の概要】
【発明が解決しようとする課題】
【０００４】
図２１は、従来の車載用の無線通信機において使用される通話機器の外観および取付、操作の一例を示す図である。
図２１において、（ａ）は通話機器本体１００の正面図である。（ｂ）は通話機器の掛け金具２００を自動車のダッシュボード３００上部の端末取付用フック３０１に引っ掛けて取り付けた場合の側面図である。（ｃ）は通話機器の掛け金具２００を自動車のダッシュボード３００下部の端末取付用フック３０１に引っ掛けて取り付けた場合の側面図である。また、（ｄ）は使用者が通話機器を手で持って操作する場合をあらわした側面図である。【０００５】
従来の車載用の無線通信機において使用される通話機器は、図２１に示すように、通話機器本体１００と、通話機器本体１００の背面にネジ等を使って固定し、本機器を他の部品に取り付ける際に使用する図示していない取付穴を有する掛け金具２００とから構成されている。
図２１に示すように、通話機器本体１００の筐体内には、主にＬＣＤ（Liquid  Crystal  Display）１１７、操作キー１１８、スピーカ１１３などが実装されているが、筐体の小型化および軽量化を図るため、特許文献１のように、スピーカ１１３の前面（放射音出力面）を筐体の背面側に向けて実装するタイプのものが存在する。【０００６】
しかしながら、通話機器本体１００内でスピーカ１１３を筐体の背面側に向けて実装した場合、スピーカ１１３から出力された放射音を使用者のいる前方に伝搬させるためには、図２１（ｂ）で示すように、背面側に出力された白抜きの矢印で示す放射音をダッシュボード３００の設置箇所の壁面に反射させる必要がある。また、図２１（ｃ）で示すように、通話機器の背面側にダッシュボード３００の壁面がない場合には、放射音を反射できないため、前方にいる使用者に伝わるスピーカ１１３の音量が小さくなってしまうという問題があった。
また、図２１（ｄ）で示すように、通話機器本体１００内でスピーカ１１３を筐体の背面側に向けて実装すると、使用者が通話機器を手で持って操作する際に、スピーカ１１３の放射音出力箇所を指で塞いでしまい、スピーカ１１３の音量が不安定になってしまうという問題があった。【０００７】
本発明は、この様な問題を解決するためになされたもので、スピーカから出力される放射音の設置環境の違いによる反射のばらつきを抑えると共に、使用者が機器を手で持って操作する際のスピーカの音量の不安定さをなくすことが可能な通話機器を提供することを目的とする。
【課題を解決するための手段】
【０００８】
上記目的を達成するための本発明に係る通話機器は、通話機器本体と、前記通話機器本体の筐体背面側に固定され、他の部品に取り付けるための取付穴を有する掛け金具とから構成された通話機器において、前記通話機器本体は、前記筐体内で背面側に向けて実装されるスピーカを備え、前記筐体背面側に、前記スピーカからの放射音を通過させるための第１のスリット穴を有し、前記掛け金具は、前記第１のスリット穴との間に所定の間隔をあけて対面するよう配置され、前記筐体背面側に取り付けられることを特徴とする。【０００９】
また、上記目的を達成するための本発明に係る通話機器は、上記した通話機器において、前記掛け金具は、前記筐体の前記第１のスリット穴の内の下側スリット穴と相対する水平方向の位置に第２のスリット穴を有することを特徴とする。【００１０】
また、上記目的を達成するための本発明に係る通話機器は、上記した通話機器において、前記通話機器本体の前記筐体には、前記スピーカの背面側で発生した共鳴音を機器の前方に伝搬するための音響管が形成されていることを特徴とする。【００１１】
また、上記目的を達成するための本発明に係る通話機器は、通話機器本体と、前記通話機器本体の筐体背面側に固定され、他の部品に取り付けるための取付穴を有する掛け金具とから構成される通話機器において、前記通話機器本体は、前記筐体内で背面側に向けて実装されるスピーカを備え、前記筐体背面側に、前記スピーカからの放射音を通過させるための第３のスリット穴と、第４のスリット穴とを有し、前記掛け金具は、前記第３のスリット穴との間に所定の間隔をあけて対面するよう配置されると共に、前記第４のスリット穴と相対する水平方向の位置に第５のスリット穴を有することを特徴とする。【００１２】
また、上記目的を達成するための本発明に係る通話機器は、上記した通話機器において、前記通話機器本体の前記筐体には、前記スピーカの背面側で発生した共鳴音を機器の前方に伝搬するための音響管が形成されていることを特徴とする。
【発明の効果】
【００１３】
以上説明したように、本発明によれば、スピーカから出力される放射音の設置環境の違いによる反射のばらつきを抑えると共に、使用者が機器を手で持って操作する際のスピーカの音量の不安定さをなくすことが可能な通話機器を提供することができる。
【図面の簡単な説明】
【００１４】
【図１】本発明の実施形態１に係る通話機器の外観を示す前方斜視図である。
【図２】本発明の実施形態１に係る通話機器の正面図、右側面図、および背面図である。
【図３】図２に示すＡ−Ａ面で切断した場合の断面図である。
【図４】本発明の実施形態１に係る通話機器におけるスピーカからの放射音の伝搬構造について説明するための説明図である。
【図５】本発明の実施形態２に係る通話機器の外観を示す前方斜視図である。
【図６】本発明の実施形態２に係る通話機器の正面図、右側面図、および背面図である。
【図７】図６に示すＢ−Ｂ面で切断した場合の断面図である。
【図８】本発明の実施形態２に係る通話機器におけるスピーカからの放射音の伝搬構造について説明するための説明図である。
【図９】本発明の実施形態３に係る通話機器の外観を示す前方斜視図である。
【図１０】本発明の実施形態３に係る通話機器の正面図、右側面図、および背面図である。
【図１１】図１０に示すＣ−Ｃ面で切断した場合の断面図である。
【図１２】本発明の実施形態３に係る通話機器におけるスピーカからの放射音の伝搬構造について説明するための説明図である。
【図１３】本発明の実施形態４に係る通話機器の外観を示す前方斜視図である。
【図１４】本発明の実施形態４に係る通話機器の正面図、右側面図、および背面図である。
【図１５】図１４に示すＤ−Ｄ面で切断した場合の断面図である。
【図１６】本発明の実施形態４に係る通話機器におけるスピーカからの放射音の伝搬構造について説明するための説明図である。
【図１７】本発明の実施形態５に係る通話機器の外観を示す前方斜視図である。
【図１８】本発明の実施形態５に係る通話機器の正面図、右側面図、および背面図である。
【図１９】図１８に示すＥ−Ｅ面で切断した場合の断面図である。
【図２０】本発明の実施形態５に係る通話機器におけるスピーカからの放射音の伝搬構造について説明するための説明図である。
【図２１】従来の車載用の無線通信機において使用される通話機器の外観および取付、操作の一例を示す図である。
【発明を実施するための形態】
【００１５】
＜実施形態１＞   以下、本発明の実施形態１に係る通話機器について説明する。
本発明の実施形態１に係る通話機器は、例えば、無線通信において使用されるハンドセットである。当該ハンドセットは無線通信部と有線で接続されており、無線によって受信した信号をハンドセットから出力したり、ハンドセットから入力された信号を無線によって出力したりする。
なお、本実施例では、ハンドセットと無線通信部が有線で接続されていると述べたが、必ずしも有線接続に限る必要はなく、近距離無線通信方式等により無線接続されていてもよい。さらには、無線通信部が小型化できれば、無線通信部分をハンドセットに内蔵して一体化した無線通信端末としてもよい。
【００１６】
［通話機器の構成］
次に、本発明の実施形態１に係る通話機器の構成について、図１〜図３を参照して詳細に説明する。図１は、本発明の実施形態１に係る通話機器の外観を示す前方斜視図である。図２は、本発明の実施形態１に係る通話機器の正面図、右側面図、および背面図である。また、図３は、図２に示すＡ−Ａ面で切断した場合の断面図である。
【００１７】
本発明の実施形態１に係る通話機器は、図１および図２に示すように、通話機器本体１と、通話機器本体１の背面に金具取付用ネジ５０１で固定され、本機器を他の部品に取り付ける際に使用する取付穴２ａを有する掛け金具２とから構成されている。
通話機器本体１は、図１〜図３に示すように、フロントケース１１とリアケース１２とから成る筐体と、筐体内に、主に受話時に相手側の音声等を出力するスピーカ１３と、ＬＣＤ（Liquid  Crystal  Display）１５と、本機器を操作するための操作キー１８と、前面にＬＣＤ１５および操作キー１８を実装する制御基板１６とが搭載されている。
また、ＬＣＤ１５の前方には、ＬＣＤフィルタ１７が配置され、図示していない両面テープや接着剤等でフロントケース１１の凹部に取り付けられており、外部から受ける衝撃等からＬＣＤ１５を保護している。
また、１９は、図示していない無線通信部との間で信号のやり取りを行ったり、電源用の電力を供給してもらうための通信ケーブルである。
【００１８】
スピーカ１３は、図示していないネジ等で放射音出力面が後方に向くようリアケース１２に固定され、また、制御基板１６との干渉を避けるため、スピーカ１３の背面側には、緩衝材１４が配置されている。
また、スピーカ１３の放射音出力側には、図３に示すように、放射音を通話機器の外部後方に伝搬するため、放射音が出力されるエリア内のリアケース１２の上部に上側スリット穴１２ａが、また、下部に下側スリット穴１２ｂが設けられている。
また、スピーカ１３の背面側のフロントケース１１には、図３に示すように、スピーカ１３の背面側での共鳴音を通話機器の前方に直接伝搬するため、共鳴音を通過させる音響管１１ａが設けられている。
また、５０２は、フロントケース１１にリアケース１２を固定するための本体固定用ネジである。
【００１９】
掛け金具２は、リアケース１２の上側スリット穴１２ａおよび下側スリット穴１２ｂとの間に所定の間隔をあけて対面するよう配置され、リアケース１２に形成された３箇所のボス穴に金具取付用ネジ５０１で取り付けられる。
【００２０】
［通話機器におけるスピーカからの放射音の伝搬構造］
次に、本発明の実施形態１に係る通話機器におけるスピーカからの放射音の伝搬構造について、図４を参照して説明する。図４は、本発明の実施形態１に係る通話機器におけるスピーカからの放射音の伝搬構造について説明するための説明図である。なお、図４における白抜きの矢印は、スピーカ１３から出力された放射音の伝搬経路をあらわしている。
本発明の実施形態１に係る通話機器において、スピーカ１３から出力された放射音は、図４に示すように、リアケース１２の上側スリット穴１２ａおよび下側スリット穴１２ｂを通過して、筐体外部に伝搬する。リアケース１２の上側スリット穴１２ａおよび下側スリット穴１２ｂを通過した放射音は、掛け金具２の前面ですべて反射され、通話機器本体１の周囲を通過して前方に伝搬する。
また、スピーカ１３の背面側で発生した共鳴音は、音響管１１ａ内を通過して直接通話機器の前方に伝搬する。
【００２１】
したがって、使用者が通話機器を手で持って操作した場合でも、通話機器本体１背面の上側スリット穴１２ａおよび下側スリット穴１２ｂと掛け金具２との間に所定の間隔を設けているので、使用者の指でリアケース１２の上側スリット穴１２ａおよび下側スリット穴１２ｂが塞がれることが無いため、リアケース１２の上側スリット穴１２ａおよび下側スリット穴１２ｂを通過した放射音がすべて掛け金具２の前面で反射され、前方にいる使用者はスピーカから出力される音声を容易に聞くことができる。
【００２２】
以上説明したように、本発明の実施形態１に係る通話機器によれば、スピーカから出力される放射音の設置環境の違いによる反射のばらつきを抑えると共に、使用者が機器を手で持って操作する際のスピーカの音量の不安定さをなくすことが可能な通話機器を提供することができる。
【００２３】
＜実施形態２＞   以下、本発明の実施形態２に係る通話機器について説明する。
本発明の実施形態２に係る通話機器は、本発明の実施形態１に係る通話機器に対して、掛け金具の形状のみ異なる。
【００２４】
［通話機器の構成］
次に、本発明の実施形態２に係る通話機器の構成について、図５〜図７を参照して詳細に説明する。図５は、本発明の実施形態２に係る通話機器の外観を示す前方斜視図である。図６は、本発明の実施形態２に係る通話機器の正面図、右側面図、および背面図である。また、図７は、図６に示すＢ−Ｂ面で切断した場合の断面図である。なお、図５〜図７において、図１〜図３と同様の構成については同じ部番を付し、説明は省略する。
【００２５】
本発明の実施形態２に係る通話機器は、図５および図６に示すように、通話機器本体１と、通話機器本体１の背面に金具取付用ネジ５０１で固定され、本機器を他の部品に取り付ける際に使用する取付穴３ａを有する掛け金具３とから構成されている。
【００２６】
掛け金具３は、リアケース１２の上側スリット穴１２ａおよび下側スリット穴１２ｂとの間に所定の間隔をあけて対面するよう配置され、リアケース１２に形成された３箇所のボス穴に金具取付用ネジ５０１で取り付けられる。また、掛け金具３は、リアケース１２の下側スリット穴１２ｂと相対する水平方向の位置にスリット穴３ｂを有している。
【００２７】
［通話機器におけるスピーカからの放射音の伝搬構造］
次に、本発明の実施形態２に係る通話機器におけるスピーカからの放射音の伝搬構造について、図８を参照して説明する。図８は、本発明の実施形態２に係る通話機器におけるスピーカからの放射音の伝搬構造について説明するための説明図である。なお、図８における白抜きの矢印は、スピーカ１３から出力された放射音の伝搬経路をあらわしている。
本発明の実施形態２に係る通話機器において、スピーカ１３から出力された放射音は、図８に示すように、リアケース１２の上側スリット穴１２ａおよび下側スリット穴１２ｂを通過して、筐体外部に伝搬する。リアケース１２の上側スリット穴１２ａを通過した放射音は、掛け金具２の前面ですべて反射され、通話機器本体１の周囲を通過して前方に伝搬する。一方、リアケース１２の下側スリット穴１２ｂを通過した放射音は、掛け金具３のスリット穴３ｂを通過し、掛け金具３の後方に伝搬する。
また、スピーカ１３の背面側で発生した共鳴音は、音響管１１ａ内を通過して直接通話機器の前方に伝搬する。
【００２８】
したがって、使用者が通話機器を手で持って操作した場合、通話機器本体１背面の上側スリット穴１２ａおよび下側スリット穴１２ｂと掛け金具２との間に所定の間隔を設けているので、使用者の指によって掛け金具３のスリット穴３ｂが塞がれたとしても、リアケース１２の上側スリット穴１２ａを通過した放射音が掛け金具２の前面で反射され、前方にいる使用者はスピーカから出力される音声を容易に聞くことができる。
【００２９】
以上説明したように、本発明の実施形態２に係る通話機器によれば、スピーカから出力される放射音の設置環境の違いによる反射のばらつきを抑えると共に、使用者が機器を手で持って操作する際のスピーカの音量の不安定さをなくすことが可能な通話機器を提供することができる。
【００３０】
＜実施形態３＞   以下、本発明の実施形態３に係る通話機器について説明する。
本発明の実施形態３に係る通話機器は、本発明の実施形態１に係る通話機器に対し、リアケースおよび掛け金具の形状が異なる。
【００３１】
［通話機器の構成］
次に、本発明の実施形態３に係る通話機器の構成について、図９〜図１１を参照して詳細に説明する。図９は、本発明の実施形態３に係る通話機器の外観を示す前方斜視図である。図１０は、本発明の実施形態３に係る通話機器の正面図、右側面図、および背面図である。また、図１１は、図１０に示すＣ−Ｃ面で切断した場合の断面図である。
【００３２】
本発明の実施形態３に係る通話機器は、図９および図１０に示すように、通話機器本体２０と、通話機器本体２０の背面に金具取付用ネジ５０１で固定され、本機器を他の部品に取り付ける際に使用する取付穴４ａを有する掛け金具４とから構成されている。
通話機器本体２０は、図９〜図１１に示すように、フロントケース１１とリアケース２２とから成る筐体と、筐体内に、主に受話時に相手側の音声等を出力するスピーカ１３と、ＬＣＤ（Liquid  Crystal  Display）１５と、本機器を操作するための操作キー１８と、前面にＬＣＤ１５および操作キー１８を実装する制御基板１６とが搭載されている。
また、ＬＣＤ１５の前方には、ＬＣＤフィルタ１７が配置され、図示していない両面テープや接着剤等でフロントケース１１の凹部に取り付けられており、外部から受ける衝撃等からＬＣＤ１５を保護している。
また、１９は、図示していない無線通信部との間で信号のやり取りを行ったり、電源用の電力を供給してもらうための通信ケーブルである。
【００３３】
スピーカ１３は、図示していないネジ等で放射音出力面が後方に向くようリアケース２２に固定され、また、制御基板１６との干渉を避けるため、スピーカ１３の背面側には、緩衝材１４が配置されている。
また、スピーカ１３の放射音出力側には、図１１に示すように、放射音を通話機器の外部後方に伝搬するため、放射音が出力されるエリア内のリアケース２２の上部に上側スリット穴２２ａが、また、下部に下側スリット穴２２ｂが設けられている。
また、スピーカ１３の背面側のフロントケース１１には、図１１に示すように、スピーカ１３の背面側での共鳴音を通話機器の前方に直接伝搬するため、共鳴音を通過させる音響管１１ａが設けられている。
また、５０２は、フロントケース１１にリアケース２２を固定するための本体固定用ネジである。
【００３４】
掛け金具４は、リアケース２２の上側スリット穴２２ａおよび下側スリット穴２２ｂとの間に所定の間隔をあけて対面するよう配置され、リアケース２２に形成された１箇所のボス穴と２箇所の取付穴に金具取付用ネジ５０１で取り付けられる。
【００３５】
［通話機器におけるスピーカからの放射音の伝搬構造］
次に、本発明の実施形態３に係る通話機器におけるスピーカからの放射音の伝搬構造について、図１２を参照して説明する。図１２は、本発明の実施形態３に係る通話機器におけるスピーカからの放射音の伝搬構造について説明するための説明図である。なお、図１２における白抜きの矢印は、スピーカ１３から出力された放射音の伝搬経路をあらわしている。
本発明の実施形態３に係る通話機器において、スピーカ１３から出力された放射音は、図１２に示すように、リアケース２２の上側スリット穴２２ａおよび下側スリット穴２２ｂを通過して、筐体外部に伝搬する。リアケース２２の上側スリット穴２２ａおよび下側スリット穴２２ｂを通過した放射音は、掛け金具４の前面ですべて反射され、通話機器本体２０の周囲を通過して前方に伝搬する。
また、スピーカ１３の背面側で発生した共鳴音は、音響管１１ａ内を通過して直接通話機器の前方に伝搬する。
【００３６】
したがって、使用者が通話機器を手で持って操作した場合でも、通話機器本体２０背面の上側スリット穴２２ａおよび下側スリット穴２２ｂと掛け金具４との間に所定の間隔を設けているので、使用者の指でリアケース２２の上側スリット穴２２ａおよび下側スリット穴２２ｂが塞がれることが無いため、リアケース２２の上側スリット穴２２ａおよび下側スリット穴２２ｂを通過した放射音がすべて掛け金具４の前面で反射され、前方にいる使用者はスピーカから出力される音声を容易に聞くことができる。
【００３７】
以上説明したように、本発明の実施形態３に係る通話機器によれば、スピーカから出力される放射音の設置環境の違いによる反射のばらつきを抑えると共に、使用者が機器を手で持って操作する際のスピーカの音量の不安定さをなくすことが可能な通話機器を提供することができる。
【００３８】
＜実施形態４＞   以下、本発明の実施形態４に係る通話機器について説明する。
本発明の実施形態４に係る通話機器は、本発明の実施形態３に係る通話機器に対し、掛け金具の形状のみ異なる。
【００３９】
［通話機器の構成］
次に、本発明の実施形態４に係る通話機器の構成について、図１３〜図１５を参照して詳細に説明する。図１３は、本発明の実施形態４に係る通話機器の外観を示す前方斜視図である。図１４は、本発明の実施形態４に係る通話機器の正面図、右側面図、および背面図である。また、図１５は、図１４に示すＤ−Ｄ面で切断した場合の断面図である。なお、図１３〜図１５において、図９〜図１１と同様の構成については同じ部番を付し、説明は省略する。
【００４０】
本発明の実施形態４に係る通話機器は、図１３および図１４に示すように、通話機器本体２０と、通話機器本体２０の背面に金具取付用ネジ５０１で固定され、本機器を他の部品に取り付ける際に使用する取付穴５ａを有する掛け金具５とから構成されている。
【００４１】
掛け金具５は、リアケース２２の上側スリット穴２２ａおよび下側スリット穴２２ｂとの間に所定の間隔をあけて対面するよう配置され、リアケース２２に形成された１箇所のボス穴と２箇所の取付穴に金具取付用ネジ５０１で取り付けられる。また、掛け金具５は、リアケース２２の下側スリット穴２２ｂと相対する水平方向の位置にスリット穴５ｂを有している。
【００４２】
［通話機器におけるスピーカからの放射音の伝搬構造］
次に、本発明の実施形態４に係る通話機器におけるスピーカからの放射音の伝搬構造について、図１６を参照して説明する。図１６は、本発明の実施形態４に係る通話機器におけるスピーカからの放射音の伝搬構造について説明するための説明図である。なお、図１６における白抜きの矢印は、スピーカ１３から出力された放射音の伝搬経路をあらわしている。
本発明の実施形態４に係る通話機器において、スピーカ１３から出力された放射音は、図１６に示すように、リアケース２２の上側スリット穴２２ａおよび下側スリット穴２２ｂを通過して、筐体外部に伝搬する。リアケース２２の上側スリット穴２２ａを通過した放射音は、掛け金具５の前面ですべて反射され、通話機器本体２０の周囲を通過して前方に伝搬する。一方、リアケース２２の下側スリット穴２２ｂを通過した放射音は、掛け金具５のスリット穴５ｂを通過し、掛け金具５の後方に伝搬する。
また、スピーカ１３の背面側で発生した共鳴音は、音響管１１ａ内を通過して直接通話機器の前方に伝搬する。
【００４３】
したがって、使用者が通話機器を手で持って操作した場合、通話機器本体２０背面の上側スリット穴２２ａおよび下側スリット穴２２ｂと掛け金具５との間に所定の間隔を設けているので、使用者の指によって掛け金具５のスリット穴５ｂが塞がれたとしても、リアケース２２の上側スリット穴２２ａを通過した放射音が掛け金具５の前面で反射され、前方にいる使用者はスピーカから出力される音声を容易に聞くことができる。
【００４４】
以上説明したように、本発明の実施形態４に係る通話機器によれば、スピーカから出力される放射音の設置環境の違いによる反射のばらつきを抑えると共に、使用者が機器を手で持って操作する際のスピーカの音量の不安定さをなくすことが可能な通話機器を提供することができる。
【００４５】
＜実施形態５＞   以下、本発明の実施形態５に係る通話機器について説明する。
本発明の実施形態５に係る通話機器は、本発明の実施形態１に係る通話機器に対し、リアケースおよび掛け金具の形状が異なる。
【００４６】
［通話機器の構成］
次に、本発明の実施形態５に係る通話機器の構成について、図１７〜図１９を参照して詳細に説明する。図１７は、本発明の実施形態５に係る通話機器の外観を示す前方斜視図である。図１８は、本発明の実施形態５に係る通話機器の正面図、右側面図、および背面図である。また、図１９は、図１８に示すＥ−Ｅ面で切断した場合の断面図である。
【００４７】
本発明の実施形態５に係る通話機器は、図１７および図１８に示すように、通話機器本体３０と、通話機器本体３０の背面に金具取付用ネジ５０１で固定され、本機器を他の部品に取り付ける際に使用する取付穴６ａを有する掛け金具６とから構成されている。
通話機器本体３０は、図１７〜図１９に示すように、フロントケース１１とリアケース３２とから成る筐体と、筐体内に、主に受話時に相手側の音声等を出力するスピーカ１３と、ＬＣＤ（Liquid  Crystal  Display）１５と、本機器を操作するための操作キー１８と、前面にＬＣＤ１５および操作キー１８を実装する制御基板１６とが搭載されている。
また、ＬＣＤ１５の前方には、ＬＣＤフィルタ１７が配置され、図示していない両面テープや接着剤等でフロントケース１１の凹部に取り付けられており、外部から受ける衝撃等からＬＣＤ１５を保護している。
また、１９は、図示していない無線通信部との間で信号のやり取りを行ったり、電源用の電力を供給してもらうための通信ケーブルである。
【００４８】
スピーカ１３は、図示していないネジ等で放射音出力面が後方に向くようリアケース３２に固定され、また、制御基板１６との干渉を避けるため、スピーカ１３の背面側には、緩衝材１４が配置されている。
また、スピーカ１３の放射音出力側には、図１９に示すように、放射音を通話機器の外部後方に伝搬するため、放射音が出力されるエリア内のリアケース３２の上部に上側スリット穴３２ａが、また、下部に下側スリット穴３２ｂ設けられている。
また、スピーカ１３の背面側のフロントケース１１には、図１９に示すように、スピーカ１３の背面側での共鳴音を通話機器の前方に直接伝搬するため、共鳴音を通過させる音響管１１ａが設けられている。
また、５０２は、フロントケース１１にリアケース３２を固定するための本体固定用ネジである。
【００４９】
掛け金具６は、リアケース３２の上側スリット穴３２ａとの間に所定の間隔をあけて対面するよう配置されると共に、下側スリット穴３２ｂと接するよう配置され、リアケース３２に形成された１箇所のボス穴と２箇所の取付穴に金具取付用ネジ５０１で取り付けられる。
【００５０】
［通話機器におけるスピーカからの放射音の伝搬構造］
次に、本発明の実施形態５に係る通話機器におけるスピーカからの放射音の伝搬構造について、図２０を参照して説明する。図２０は、本発明の実施形態５に係る通話機器におけるスピーカからの放射音の伝搬構造について説明するための説明図である。なお、図２０における白抜きの矢印は、スピーカ１３から出力された放射音の伝搬経路をあらわしている。
本発明の実施形態５に係る通話機器において、スピーカ１３から出力された放射音は、図２０に示すように、リアケース３２の上側スリット穴３２ａおよび下側スリット穴３２ｂを通過して、筐体外部に伝搬する。リアケース３２の上側スリット穴３２ａを通過した放射音は、掛け金具６の前面ですべて反射され、通話機器本体３０の周囲を通過して前方に伝搬する。一方、リアケース３２の下側スリット穴３２ｂを通過した放射音は、掛け金具６のスリット穴６ｂを通過し、掛け金具６の後方に伝搬する。
また、スピーカ１３の背面側で発生した共鳴音は、音響管１１ａ内を通過して直接通話機器の前方に伝搬する。
【００５１】
したがって、使用者が通話機器を手で持って操作した場合、通話機器本体３０背面の上側スリット穴３２ａと掛け金具６との間に所定の間隔を設けているので、使用者の指によって掛け金具６のスリット穴６ｂが塞がれたとしても、リアケース３２の上側スリット穴３２ａを通過した放射音が掛け金具６の前面で反射され、前方にいる使用者はスピーカから出力される音声を容易に聞くことができる。
【００５２】
以上説明したように、本発明の実施形態５に係る通話機器によれば、スピーカから出力される放射音の設置環境の違いによる反射のばらつきを抑えると共に、使用者が機器を手で持って操作する際のスピーカの音量の不安定さをなくすことが可能な通話機器を提供することができる。
【００５３】
なお、上記した実施形態の構成及び動作は例であって、本発明の趣旨を逸脱しない範囲で適宜変更して実行することができることは言うまでもない。
【００５４】
この出願は、２０１４年９月１６日に出願された日本出願特願２０１４−１８７７６０を基礎として優先権の利益を主張するものであり、その開示の全てを引用によってここに取り込む。
【産業上の利用可能性】
【００５５】
本発明は、車載用の無線通信機などで使用される通話機器において、特に筐体の背面側にスピーカを搭載した通話機器に好適である。
【符号の説明】
【００５６】
１：通話機器本体、２：掛け金具、２ａ：取付穴、３：掛け金具、３ａ：取付穴、３ｂ：スリット穴、４：掛け金具、４ａ：取付穴、５：掛け金具、５ａ：取付穴、５ｂ：スリット穴、６：掛け金具、６ａ：取付穴、６ｂ：スリット穴、１１：フロントケース、１１ａ：音響管、１２：リアケース、１２ａ：上側スリット穴、１２ｂ：下側スリット穴、１３：スピーカ、１４：緩衝材、１５：ＬＣＤ、１６：制御基板、１７：ＬＣＤフィルタ、１８：操作キー、１９：通信ケーブル、２０：通話機器本体、２２：リアケース、２２ａ：上側スリット穴、２２ｂ：下側スリット穴、３０：通話機器本体、３２：リアケース、３２ａ：上側スリット穴、３２ｂ：下側スリット穴、１００：通話機器本体、１１３：スピーカ、１１７：ＬＣＤ、１１８：操作キー、２００：掛け金具、３００：ダッシュボード、３０１：端末取付用フック、５０１：金具取付用ネジ、５０２：本体固定用ネジ。 
【図１】
2016042934.tif 000003
【図２】
2016042934.tif 000004
【図３】
2016042934.tif 000005
【図４】
2016042934.tif 000006
【図５】
2016042934.tif 000007
【図６】
2016042934.tif 000008
【図７】
2016042934.tif 000009
【図８】
2016042934.tif 000010
【図９】
2016042934.tif 000011
【図１０】
2016042934.tif 000012
【図１１】
2016042934.tif 000013
【図１２】
2016042934.tif 000014
【図１３】
2016042934.tif 000015
【図１４】
2016042934.tif 000016
【図１５】
2016042934.tif 000017
【図１６】
2016042934.tif 000018
【図１７】
2016042934.tif 000019
【図１８】
2016042934.tif 000020
【図１９】
2016042934.tif 000021
【図２０】
2016042934.tif 000022
【図２１】
2016042934.tif 000023
【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
通話機器本体と、前記通話機器本体の筐体背面側に固定され、他の部品に取り付けるための取付穴を有する掛け金具とから構成された通話機器において、
前記通話機器本体は、前記筐体内で背面側に向けて実装されるスピーカを備え、前記筐体背面側に、前記スピーカからの放射音を通過させるための第１のスリット穴を有し、
前記掛け金具は、前記第１のスリット穴との間に所定の間隔をあけて対面するよう配置され、前記筐体背面側に前記第１のスリット穴を塞がないように当該第１のスリット穴の上方及び下方が金具取付用ネジで取り付けられることを特徴とする通話機器。
【請求項２】
請求項１に記載の通話機器において、前記掛け金具は、前記筐体の前記第１のスリット穴の内の下側スリット穴と相対する水平方向の位置に第２のスリット穴を有することを特徴とする通話機器。
【請求項３】
通話機器本体と、前記通話機器本体の筐体背面側に固定され、他の部品に取り付けるための取付穴を有する掛け金具とから構成される通話機器において、
前記通話機器本体は、前記筐体内で背面側に向けて実装されるスピーカを備え、前記筐体背面側に、前記スピーカからの放射音を通過させるための第３のスリット穴と、第４のスリット穴とを有し、
前記掛け金具は、前記第３のスリット穴との間に所定の間隔をあけて対面するよう配置されると共に、前記第４のスリット穴と相対する水平方向の位置に第５のスリット穴を有し、前記第３乃至第５のスリット穴を塞がないように前記第３のスリット穴の上方及び前記第４のスリット穴の下方において金具取付用ネジで取り付けられることを特徴とする通話機器。
【請求項４】
請求項１乃至請求項３に記載の通話機器において、前記通話機器本体の前記筐体には、前記スピーカの背面側で発生した共鳴音を機器の前方に伝搬するための音響管が形成されていることを特徴とする通話機器。
【国際調査報告】
2016042934.tif 000024
2016042934.tif 000025
2016042934.tif 000026
2016042934.tif 000027